【事件の表示】
　平成　８年特許願第３０５２２９号「メカニカルフックを備えたテープ」拒絶査定不服審判事件〔平成１０年　５月２６日出願公開、特開平１０−１３７００８〕について、次のとおり審決する。
【結　論】
　本件審判の請求は、成り立たない。
【理　由】
１　本願発明
　本願は、平成８年１１月１５日の出願であって、その請求項１及び２に係る発明は、平成１６年１０月１３日にした手続補正により補正された明細書の特許請求の範囲の請求項１及び２に記載された事項により特定されるものと認められるところ、請求項１は次のとおり記載されている。
「【請求項１】　テープ基材と、該テープ基材に設けられたメカニカルフックとを有する、メカニカルフックを備えたテープにおいて、
　上記テープ基材は、不織布のみからなっており、且つ上記メカニカルフックの設けられたメカニカルフック面と上記メカニカルフックが配設されずに上記不織布の表面が直接露出されている露出面とを有しており、
　上記テープ基材は、上記メカニカルフック面が上記露出面に対向した状態にＺ状に折り畳まれて一端部、中央部及び他端部の３つの部分に区分されており、
　上記メカニカルフック面は、上記一端部の上記中央部に対向する面に形成されており、
　上記露出面は、上記中央部の上記メカニカルフック面に対向する面に形成されていることを特徴とするメカニカルフックを備えたテープ。」
　（以下、請求項１に係る発明を「本願発明１」という。）
　　　　　　　　　　　　　　　　　　　　　　　　　　　　　　　　　　　　　　　　
２　引用例の記載事項
　原査定の拒絶の理由に引用された、本願の出願前に頒布された刊行物である特開平１−１６８９０１号公報（以下、「引用例１」という。）には、以下の記載がある。
　ａ「本発明はおしめのような安価な又は使い捨て外被に使用されるフアスナー…に関する。」（２頁右下欄１１ないし１３行）
　ｂ「第１図を参照すると参照数字１０によつて示される本発明による使い捨て外被すなわちおしめが示される。…おしめ１０はおしめの前部であることを意図しているものを横切るフアスナー部材１２を含んでおり、また二つのフアスナー部材１３はおしめ１０を身につける人のきまつた場所におしめ１０を保持するためにフアスナー部材１２の端部にかみ合わすように適合させた。」（５頁右下欄１８行ないし６頁左上欄８行）
　ｃ「フアスナー部材１３は、外側フイルム１１の内縁部とおしめ１０の内側の不織ポリオレフイン層１８の両方に対して上記の性質を有する結合層１９によつて部分的に粘着されたフアスナー部材の反対側の端部１７を有する柔軟な伸長した長方形の重合体のひもの末端部分の上に支持される。フアスナー部材１３は、幼児のような使用者に対しおしめ１０のはり付けを与えるためにフアスナー部材１２のループ１５と開放できる機械的かみ合わせをするように適合させられた突起部状の多数のフツクを含む。ひも１６はフイルム１１の反対側の表面の一部の上に低粘着の圧力感受性の接着剤の層、及びおしめ１０の使用に先立つさまざまな基体との意図的でないかみ合わせの機械からフアスナー部材１３を保護するため、ひも１６を折りたたまれた状態（第１図の左側のひも参照）にさせうる不織層１８を有することができる。おしめ１０に使用するときには、ひも１６は細長いフアスナー部材１２の端部とフアスナー部１３のかみ合わせのために容易にひぎはがし解放（第１図の右側のひも１３参照）することができる。」（６頁左上欄１５行ないし右上欄１６行）
　以上の記載及び第１図によれば、引用例１には次の発明が記載されていると認められる。
「長方形の重合体のひもと、ひもの一端部に設けられた機械的かみ合わせをするように適合させられた突起部状の多数のフツクを含むフアスナー部材１３を有するフアスナーにおいて、ひもは、不織層を有し、意図的でないかみ合わせからフアスナー部材１３を保護するため、不織層により折りたたまれた状態にさせられ且つ容易にひぎはがし解放できるようになっている、使い捨ておしめに使用されるフアスナー。」
　
　同じく原査定の拒絶の理由に引用された、本願の出願前に頒布された刊行物である実願平５−７３８９号（実開平６−５８９３４号）のＣＤ−ＲＯＭ（以下、「引用例２」という。）には、以下の記載がある。
　ｄ「【０００１】【産業上の利用分野】本考案は使い捨ておむつ用止着材に係わり、特に、製造が容易で使い易く、かつ安全なワンピース粘着テープによって構成した使い捨ておむつ用止着材に関する。」
　ｅ「【００１２】【課題を解決するための手段】本考案の使い捨ておむつ用止着材は、テープ基材の表面の端から順に、第１の粘着層域３、剥離層域２、第２の粘着層域５、摘持部７が設けられ、これらの第１および第２の粘着剤層域３，５と剥離層域２との境界線近傍を折目として上記テープ基材がＺ字に折り畳まれることにより、上記第２の粘着層域５と上記剥離層域２とが仮接着させられているとともに、上記剥離層域２の裏面と上記第１の粘着層域３の裏面とが剥離自在に固定されている。
　ｆ「【００１３】また、本考案の他の特徴とするところは、上記剥離層域２の面積が上記第２の粘着層域５の面積より小さく形成されることにより、上記第２の粘着層域５の一部が上記第１の粘着層域３の一部に仮接着し、その結果、上記剥離層域２の裏面が上記第１の粘着層域３の裏面に固定されるようになされていることを特徴とする。」
　ｇ「【００１５】【作用】本考案の使い捨ておむつ用止着材は上記技術手段よりなるので、第１および第２の粘着剤層域３，５と剥離層域２との境界線近傍をそれぞれ折目として上記テープ基材をＺ字に折り畳んだ際に、上記第２の粘着層域５と上記剥離層域２とが仮接着するとともに、上記剥離層域２の裏面と上記第１の粘着層域３の裏面とが剥離自在に固定するので、平坦に折り畳まれた状態が確実に保持され、これにより、突出し部分が紙おむつ製造時に機械の一部にひっかかったりする不都合が発生する可能性がなくなり、製造時のトラブルが解消されるとともに、紙おむつの取扱が容易になり、さらに外観性が良くなる。」
　ｈ「【００２２】剥離層域２、第１の粘着層域３、第２の粘着層域５、摘持部７を製造する方法としては、公知の感圧接着テープの製法を利用することができる。例えば、図１０に示したように、一枚のテープ基材の片面に粘着剤を塗布して粘着層域２４ａ，２４ｂを形成することができる。」
　そして、図２には、テープ基材がＺ字に折り畳まれて、摘持部７を有する一端部、中央部及び他端部の３つの部分に区分され、第２の粘着層域５が一端部の中央部に対向する面に設けられ、剥離層域２が中央部の第２の粘着層域５に対向する面に形成されている態様が記載されている。
　以上の記載並びに図１及び図２によれば、引用例２には次の発明が記載されていると認められる。
「テープ基材と、テープ基材に塗布された粘着材とを有する、粘着材を備えた使い捨ておむつ用止着材において、テープ基材は、粘着剤を塗布した第１の粘着層域３、剥離層域２、粘着剤を塗布した第２の粘着層域５、摘持部７とを有し、テープ基材は、第２の粘着剤層域５が剥離層域２に対向した状態にＺ字に折り畳まれて、摘持部７を有する一端部、中央部及び他端部の３つの部分に区分されており、第２の粘着層域５は、一端部の中央部に対向する面に形成され、剥離層域２は、中央部の第２の粘着層域５に対向する面に形成されている、使い捨ておむつ用止着材。」
　　
３　対比
　本願発明１と引用例１記載の発明とを対比すると、引用例１記載の発明の「ひも」、「機械的かみ合わせをするように適合させられた突起部状の多数のフツクを含むフアスナー部材１３」及び「フアスナー」は、それぞれ本願発明１の「テープ基材」、「メカニカルフック」及び「テープ」に相当する。
　そして、本願明細書の「【００１４】……テープ基材１ａが不織布よりなっており、メカニカルフックを備えたテープ１を折り畳んだ状態において、メカニカルフック１ｂは露出面１ｄに係合される。……【００１５】…メカニカルフックを備えたテープ１によると、該メカニカルフック１ｂを利用して、特に仮留め手段を設けることなくメカニカルフックを備えたテープ１を折り畳んだ状態を確実に保持させることができる。」との記載によれば、本願発明１は、メカニカルフックを備えたテープにおいて、テープ基材が不織布よりなるテープを折り畳んだ状態で、メカニカルフックが不織布よりなる露出面に係合されて、折り畳んだ状態を確実に保持させることができるというものであるところ、引用例１記載の発明も、多数のフックを含むフアスナー部材を備えたフアスナーにおいて、意図的でないかみ合わせからフアスナー部材を保護するため、ひもは不織層により折りたたまれた状態にさせられているというものである。つまり、引用例１記載の発明においても、フアスナー部材がひもを構成する不織層に係合されることにより、ひもが折りたたまれた状態になっていると解されるから、引用例１記載の発明の「不織層」は、本願発明１の「不織布」に相当する。
　さらに、引用例１記載の発明の「ひも」の「フアスナー部材１３」が設けられた箇所は、本願発明１の「メカニカルフック面」に相当し、引用例１記載の発明の「ひも」の「フアスナー部材１３」が設けられていない箇所は、本願発明１の「不織布の表面が直接露出されている露出面」に相当する。
　また、引用例１記載の発明において、ひもは、第１図の左側に示されているように折りたたまれており、開放された状態を示す第１図の右側のひもを参照すると、二つ折りに折りたたまれて、フアスナー部材１３が設けられた一端部と他端部の２つの部分に区分されているものと認められる。その折りたたまれた状態において、「ひも」の「フアスナー部材１３」が設けられた箇所が、「ひも」の「フアスナー部材１３」が設けられていない箇所に対向していることは明らかである。
　そうすると、両者は、
「テープ基材と、該テープ基材に設けられたメカニカルフックとを有する、メカニカルフックを備えたテープにおいて、
　上記テープ基材は、不織布からなっており、且つ上記メカニカルフックの設けられたメカニカルフック面と上記メカニカルフックが配設されずに上記不織布の表面が直接露出されている露出面とを有しており、
　上記テープ基材は、上記メカニカルフック面が上記露出面に対向した状態に折り畳まれており
　上記メカニカルフック面は、一端部に形成されており、
　上記露出面は、上記メカニカルフック面に対向する面に形成されているメカニカルフックを備えたテープ」
である点で一致し、次の点で相違する。
　相違点１
　本願発明１では、テープ基材は、不織布のみからなっているのに対して、引用例１記載の発明では、テープ基材は、不織布とそれ以外の層との重合体からなっている点。
　相違点２
　本願発明１では、テープ基材は、Ｚ状に折り畳まれて一端部、中央部及び他端部の３つの部分に区分されており、メカニカルフック面は、一端部の中央部に対向する面に形成されており、露出面は、中央部のメカニカルフック面に対向する面に形成されているのに対して、引用例１記載の発明では、テープ基材は、二つ折りに折り畳まれて一端部と他端部の２つの部分に区分され、メカニカルフック面は、一端部の他端部に対向する面に形成されており、露出面は、他端部のメカニカルフック面に対向する面に形成されている点。
　
４　相違点の検討
　そこで、上記各相違点について検討する。
（１）相違点１について
　引用例１記載の発明では、テープ基材は、不織布とそれ以外の層との重合体からなっているが、部材の簡素化は一般的な技術的課題であるから、引用例１記載の発明において、本願発明１のようにテープ基材を不織布のみからなるものとすることは、当業者が設計上適宜なし得たことである。
（２）相違点２について
　相違点２は、要するに、本願発明１では、テープ基材がＺ状に折り畳まれて一端部、中央部及び他端部の３つの部分に区分され、メカニカルフック面が一端部に形成され、（メカニカルフックが配設されない）露出面が中央部に形成されているのに対して、引用例１記載の発明では、テープ基材が二つ折りに折りたたまれて一端部及び他端部の２つの部分に区分され、メカニカルフック面が一端部に形成され、露出面が他端部に形成されているということである。　
　しかし、引用例２には、既述したとおりの発明が記載されており、該発明は、接合要素がメカニカルフックではなく粘着材ではあるものの、テープ基材と、テープ基材に塗布された粘着材とを有する、粘着材を備えた使い捨ておむつ用止着材において、テープ基材がＺ状に折り畳まれて一端部、中央部及び他端部の３つの部分に区分され、接合要素が配設された面（第２の粘着層域５）が一端部に形成され、接合要素が配設されない面（剥離層域２）が中央部に形成されるという事項を備えている。
　そして、引用例１記載の発明と引用例２記載の発明は、共に、使い捨ておしめに使用されるフアスナーの技術分野に属するから、引用例１記載の発明に引用例２記載の発明が備える、テープ基材の折り畳み形状、及び接合要素が配設された面と接合要素が配設されない面の形成箇所に関する上記事項を適用して、相違点２に係る本願発明１の事項とすることは、その適用を妨げる事由も見あたらないことから、当業者であれば容易に想到し得たことといえる。
　
　しかも本願発明１が奏する効果も、引用例１及び引用例２記載の発明から当業者が予測できたものであり、格別顕著なものとはいえない。
　したがって、本願発明１は、引用例１及び引用例２記載の発明に基いて、当業者が容易に発明をすることができたものである。
　
５　むすび　
　以上のとおり、本願発明１は、特許法第２９条第２項の規定により特許を受けることができないものであるから、他の請求項に係る発明について検討するまでもなく、本願は拒絶されるべきものである。
　よって、結論のとおり審決する。